(57)【特許請求の範囲】
【請求項１】
容器本体と、この容器本体内に脱着自在に装填される基板から構成され、上記基板は未使用の転写テープを巻回する供給リール及び使用済みの転写テープを巻回する巻取りリール並びにそれらの連動により、転写テープが容器本体開口部より突出する転写ヘッドを介して供給される転写テープ供給、巻取り機構を具え、この転写ヘッドを容器本体開口部より出没自在とするため上記基板を容器本体内で回動自在に保持し、基板の回動に伴って基板に容器本体開口部を閉塞する封鎖片を設けてなる塗布具。
【発明の詳細な説明】
【０００１】
【発明の属する技術分野】
この発明は、転写テープの表面に塗布した修正塗料又は接着剤（以下「修正塗料等」とする。）を、被転写物表面に密着させつつ転写することで、塗布してなる塗布具に関する。
【０００２】
【従来の技術】
従来、転写テープの表面に塗布される修正塗料等を、被転写物表面に密着させて転写することで塗布してなる塗布具においては、実際被転写物の表面に対して密着して、保持する転写テープの表面に塗布される修正塗料等の転写、塗布を行う転写ヘッドが、塗布具を構成する容器本体から突出して固持されるものが一般的である。したがって、塗布具として使用していない場合に、この塗布具を机上等にそのまま放置すると、容器本体から突出して固持される転写ヘッドが何等かの原因により他所に接触すると、この転写ヘッドに保持される転写テープの表面に塗布した修正塗料等が接触の際の圧力によって転写され、不用意な汚損を生じたり、或は、この転写ヘッドに保持される転写テープ表面の修正塗料等において、上述の他所への不用意な接触により発生する修正塗料等の剥離、更にはこの転写テープの表面上の修正塗料等に直接塵埃が付着し、この塗布具の使用に際して転写ヘッドに保持される転写テープ表面の修正塗料等の被転写物表面への密着がこの付着した塵埃により阻害され、転写ヘッドによる転写テープ表面の修正塗料等の転写、塗布を円滑に行うことができない等の塗布作業上の不具合が生じるため、塗布具を構成する容器本体から突出して固持される転写ヘッドのみを被覆するキャップが提案されている。
【０００３】
【発明が解決しようとする課題】
しかしながら、上記従来の、転写テープの表面に塗布される修正塗料の不使用時における他所への不用意な接触により発生する汚損や、他所への不用意な接触により発生する修正塗料又は接着剤の剥離、更にはこの転写テープの表面上の修正塗料又は接着剤に直接塵埃が付着して転写ヘッドによる転写テープ表面の修正塗料等の転写、塗布を円滑に行うことができない等の塗布作業上の不具合が生じることを防止するために、塗布具を構成する容器本体から突出して固持される転写ヘッドのみを被覆するように装着されるキャップは、確かに塗布具として使用していない場合の転写ヘッドを確実に被覆するものであるから上記不具合は確実に阻止されるものとなるが、様々な小物が乱雑に存在する机上においてこの塗布具を使用する場合には、この転写ヘッドを被覆するために装着されるキャップは極めて小さいものであり、紛失し易いものであって、使用者はその転写ヘッドを被覆する必要がある度にキャップを捜さなければならなくなり、著しく煩わしいこととなる。
【０００４】
また、この塗布具を使用するにあたって連続して使用する際には、一作業終了毎にキャップを塗布具の容器本体外に突出して固持される転写ヘッドにキャップを装着する作業は非常に煩わしいため、使用者においては最終的に全ての作業が終了した後でなければキャップを塗布具の転写ヘッドに装着することがなく、実際は作業中において塗布具の転写ヘッドが不用意に他所に接触し、転写テープの表面に塗布された修正塗料又は接着剤による他所の汚損や、転写テープの表面上の修正塗料又は接着剤への塵埃等の付着による円滑な転写の阻害等の塗布作業上の不具合が生じるという欠点もある。
【０００５】
そこで、この発明は上記従来のものの持つ欠点等を改善するものであり、容易且つ確実に塗布具の転写ヘッドを容器本体内に収納して、机上に放置又は衣服のポケット等に携帯した時に、転写ヘッドに保持される転写テープの不用意な接触による他所への汚損及び、転写テープ自体への塵埃の付着を防止して円滑な塗布作業を行うことができるようにする。
【０００６】
【課題を解決するための手段】
そのために、容器本体と、この容器本体内に脱着自在に装填される基板から構成され、上記基板は未使用の転写テープを巻回する供給リール及び使用済みの転写テープを巻回する巻取りリール並びにそれらの連動により、転写テープが容器本体より突出する転写ヘッドを介して供給される転写テープ供給、巻取り機構を具え、この転写ヘッドを容器本体開口部より出没自在とするため上記基板を容器本体内で回動自在に保持すると共に、基板の回動に伴って容器本体開口部を閉塞する封鎖片を設けてなるものである。
【０００７】
【発明の実施の形態】
この発明の実施にあたり、塗布具の使用後には、未使用の転写テープを巻回する供給リール及び使用済みの転写テープを巻回する巻取りリールと各々同軸上に軸着される供給リールギア及び巻取りリールギアの噛合を介しての回動により、被転写物の表面に密着するため、容器本体開口部より突出する転写ヘッドに上記未使用の転写テープを供給すると同時に巻取りリールに使用済みの転写テープを巻取り、収容する転写テープ供給、巻取り機構を一体に具える基板を容器本体内で回動させることにより、容器本体開口部外に突出していた基板の転写ヘッドは容器本体内に収容され、基板に設ける封鎖片が基板とともに容器本体内壁面に沿って回動し、容器本体開口部を閉鎖することとなるので、転写ヘッドは様々な小物が散乱する机上に放置又は衣服のポケット等に収容して携帯することとなっても、不用意に他所に接触することもなく汚損を防ぎ、又この転写ヘッドに保持される未使用の転写テープ自体への塵芥の付着を防止して確実な転写テープの供給、巻取りを行い、修正塗料等の塗布作業を円滑に行うことができる。転写ヘッドは、基板の回動とともに径方向中心に向い移動すれば、転写ヘッドの容器本体内への収容はより容易である。
【０００８】
更に、転写テープ供給、巻取り機構を一体に具える基板は容器本体に対して脱着自在とすると、未使用の転写テープを使い果たした後は、この基板ごと容器本体から取り外し、新品の基板を装填することで容易に交換することができる。なお、基板は容器本体内において回動できるものであればよく、軸着しなくても基板周囲を回動自在に保持するものでよい。また、基板の回動は容器本体のいずれかの側面から基板と一体となるつまみ片を適宜突出し回動するようにできる。
【０００９】
【実施例】
この発明を図に示す実施例により更に説明する。（１）はこの発明の実施例である塗布具であり、この塗布具（１）は、容器本体（２）と、この容器本体（２）内に脱着自在に装填される、未使用の転写テープ（８）を巻回する供給リール（６）及び使用済みの転写テープ（１１）を巻回する巻取りリール（９）を具え、各々同軸上に軸着される供給リールギア（７）、及び巻取りリールギア（１０）の噛合により連動する。また、被転写物の表面に密着するため、容器本体開口部（３）より突出する転写ヘッド（１２）に、上記未使用の転写テープ（８）を供給すると同時に巻取りリール（９）に使用済みの転写テープ（１１）を巻取り、これらよりなる転写テープ供給、巻取り機構（１３）を一体に具える基板（５）を具える。この基板（５）は容器本体（２）に回動できるように固定しても取り外しができるカートリッジ式として設けてもよい。そして、基板（５）の周縁につまみ片（１５）を固定し、つまみ片（１５）の外方に突出する端部は容器本体（２）の周縁より突出して、回動できるように設けられる。基板（５）と容器本体（２）をほぼ同形とする場合にはつまみ片（１５）は容器本体（２）のどの周縁より突出して基板（５）を容器本体（２）内で回動させることもできる。
【００１０】
そして、この転写ヘッド（１２）が容器本体開口部（３）より出没自在に突出できるため基板（５）を回動自在に軸着すると共に、基板（５）の回動に伴って容器本体内壁面（４）に沿って移動して容器本体開口部（３）を閉塞する湾曲あるいは弾性を有する封鎖片（１４）を設け、一端を基板（５）端縁に固定し、他端を自由端として上記内壁面（４）に密着させてなるものである。なお、上記封鎖片（１４）は、必ずしもその他端を内壁面（４）に密着しなければならないものではなく、上記開口部（３）を閉じるだけでもその機能は充分に果たせるものである。
【００１１】
この発明の実施例である塗布具（１）は以上の構成を具えるので、塗布具（１）の使用にあたり、容器本体開口部（３）より突出する転写ヘッド（１２）に対して、上記未使用の転写テープ（８）を供給すると同時に、巻取りリール（９）に使用済みの転写テープ（１１）を巻取る転写テープ供給、巻取り機構（１３）と一体の基板（５）を、回動自在に軸着する容器本体（２）内で外部よりつまみ片（１５）を回動させると、容器本体開口部（３）外に突出していた基板（５）と一体に突出する転写ヘッド（１２）は、容器本体（２）内に没入して収容される同時に、この基板（５）の回動方向後方に設ける封鎖片（１４）が、上記基板（５）の回動に伴って、容器本体内壁面（４）に沿って回動し、容器本体開口部（３）を閉鎖することとなるので転写ヘッド（１２）は容器本体（２）内に収容される。したがって、未使用の転写テープ（８）を保持する転写ヘッド（１２）は、乱雑に様々な小物が散乱する机上において放置した場合や、衣服のポケット等に収納して携帯しても、不用意に他所に接触して未使用の転写テープ（８）上の修正塗料等が付着することによる汚損を防ぎ、又この転写ヘッド（１２）に保持される未使用の転写テープ（８）自体への塵埃の付着をも防止できるので、確実な転写テープ（８）（１１）の供給、巻取りを行い、修正塗料等の塗布作業を円滑に行うことができる。
【００１２】
なお、この発明の実施例である塗布具（１）を使用するにあたっては、この塗布具（１）を構成する容器本体（２）の容器本体開口部（３）は、転写テープ（８）（１１）を保持することとなる転写ヘッド（１２）を容器本体（２）内に没入させて収容すると共に、転写ヘッド（１２）を含む転写テープ供給、巻取り機構（１３）を具える基板（５）と一体に設ける封鎖片（１４）により封鎖されるので、転写ヘッド（１２）が嵌入する側の端縁は、封鎖片（１４）の露出する側の端縁より径方向外方に突出することが望ましい。また、基板（５）を適宜容器本体（２）の外部より上記と逆方向に回動させることにより、この容器本体開口部（３）を封鎖している封鎖片（１４）は容器本体内壁面（４）に沿って逆方向に回動し、容器本体（２）内に没入して収容されていた転写ヘッド（１２）も回動して容器本体開口部（３）より露出することとなる。上記のとおり開口部（３）の端縁は転写ヘッド（１２）の露出側が転写ヘッド（１２）側より径方向中心より外方に突出しているから、使用者は、この塗布具（１）を容易に使用できるものとなる。
【００１３】
また、転写テープ供給、巻取り機構（１３）を一体に具える基板（５）は、塗布具（１）を構成する容器本体（２）に対して脱着自在とすることにより、未使用の転写テープ（８）を使い果たした後は、この基板（５）ごと容器本体（２）から取り外し、新品の基板（５）を装填することで容易に交換することができる。基板（５）の回動は、容器本体（２）内に設ける溝のストッパー間で回動し、その終点はその位置で逆方向への回動が容易にできないように停止する。
【００１４】
【発明の効果】
以上のとおり、塗布具を構成する容器本体内において、未使用の転写テープを保持し容器本体開口部より突出する転写ヘッド及び容器本体開口部を封鎖する封鎖片を含む転写テープ供給、巻取り機構を具える基板を回動自在とすることにより、この発明の塗布具を使用しない場合には、この容器本体内に回動自在に装填される基板を回動させて、転写テープを保持する転写ヘッドを容器本体内に隠蔽させて収容できると同時に、転写ヘッドが突出する容器本体開口部を封鎖片により封鎖するため、机上に放置又は衣服のポケット等に携帯しても不用意な転写ヘッドの接触による他所への汚損を防ぎ、転写テープ上の修正塗料等の剥離を防止して確実な転写テープの供給、巻取りを行うものとして、円滑な修正塗料等の塗布作業を実施できる優れた効果を有するものである。
【図面の簡単な説明】
【図１】この発明の実施例の塗布具の正面図である。
【図２】この発明の実施例である塗布具の断面図である。
【図３】図２の転写ヘッド収容時を示す断面図である。
【符号の説明】
１  塗布具
２  容器本体
３  容器本体開口部
４  容器本体内壁面
５  基板
６  供給リール
７  供給リールギア
８  未使用の転写テープ
９  巻取りリール
１０  巻取りリールギア
１１  使用済みの転写テープ
１２  転写ヘッド
１３  転写テープ供給、巻取り機構
１４  封鎖片
１５  つまみ片
【図１】
0003806792.tif 000002
【図２】
0003806792.tif 000003
【図３】
0003806792.tif 000004